(57)【要約】【課題】赤、緑及び青サブピクセルの発光時間を自由に制御できるようにした有機発光表示装置及びその駆動方法を提供する。【解決手段】それぞれの水平ラインごとに形成される走査線及び発光制御線と、それぞれの垂直ラインごとに形成されるデータ線と、前記走査線、発光制御線及びデータ線と接続されるように配置されるサブピクセルを具備し、前記同じ水平ラインに位置される前記サブピクセルは同一色の光を生成する。【選択図】図2
2007156383.tif 000002
【特許請求の範囲】
【請求項１】
それぞれの水平ラインごとに形成される走査線及び発光制御線と、
それぞれの垂直ラインごとに形成されるデータ線と、
前記走査線、発光制御線及びデータ線と接続されるように配置されるサブピクセルを具備し、
前記同じ水平ラインに位置される前記サブピクセルは、同一色の光を生成することを特徴とする有機発光表示装置。
【請求項２】
前記サブピクセルは、
赤有機発光ダイオードを含む赤サブピクセル、緑有機発光ダイオードを含む緑サブピクセル及び青有機発光ダイオードを含む青サブピクセルで分けられることを特徴とする請求項1に記載の有機発光表示装置。
【請求項３】
前記それぞれの垂直ラインには、前記赤サブピクセル、緑サブピクセル及び青サブピクセルが反復的に配置されることを特徴とする請求項2に記載の有機発光表示装置。
【請求項４】
前記一つの赤サブピクセル、緑サブピクセル及び青サブピクセルが画素を成すことを特徴とする請求項3に記載の有機発光表示装置。
【請求項５】
走査線、発光制御線及びデータ線と接続されるように配置されるサブピクセルと、
前記走査線及び発光制御線を駆動するための走査駆動部と、
前記データ線を駆動するためのデータ駆動部を具備し、
前記一つの発光制御線に接続される前記サブピクセルは、同じ色の光を生成することを特徴とする有機発光表示装置。
【請求項６】
前記サブピクセルは、
赤有機発光ダイオードを含む赤サブピクセル、緑有機発光ダイオードを含む緑サブピクセル及び青有機発光ダイオードを含む青サブピクセルで分けられることを特徴とする請求項5に記載の有機発光表示装置。
【請求項７】
前記サブピクセルは、前記発光制御線に供給される発光制御信号によって発光時間が制御されることを特徴とする請求項6に記載の有機発光表示装置。
【請求項８】
前記走査駆動部は、
前記赤有機発光ダイオード、緑有機発光ダイオード及び青有機発光ダイオードの発光効率に対応して前記発光制御信号の幅を制御することを特徴とする請求項7に記載の有機発光表示装置。
【請求項９】
前記走査駆動部は、
発光効率が高い有機発光ダイオードを含むサブピクセルの発光時間が発光効率が低い有機発光ダイオードを含むサブピクセルの発光時間より短く設定されるように前記発光制御信号の幅を制御することを特徴とする請求項8に記載の有機発光表示装置。
【請求項１０】
前記走査駆動部は、
前記緑サブピクセルの発光時間が前記赤サブピクセル及び青サブピクセルの発光時間より短く設定されるように前記発光制御信号の幅を制御することを特徴とする請求項9に記載の有機発光表示装置。
【請求項１１】
前記走査駆動部は、
前記赤有機発光ダイオード、緑有機発光ダイオード及び青有機発光ダイオードの寿命特性に対応して前記発光制御信号の幅を制御することを特徴とする請求項7に記載の有機発光表示装置。
【請求項１２】
前記走査駆動部は、
長い寿命特性を持つ有機発光ダイオードを含むサブピクセルの発光時間が短い寿命特性を持つ有機発光ダイオードを含むサブピクセルの発光時間より長く設定されるように前記発光制御信号の幅を制御することを特徴とする請求項11に記載の有機発光表示装置。
【請求項１３】
前記走査駆動部は、
前記青サブピクセルの発光時間が前記赤サブピクセル及び緑サブピクセルの発光時間より短く設定されるように前記発光制御信号の幅を制御することを請求項12に記載の特徴とする有機発光表示装置。
【請求項１４】
前記一つの赤サブピクセル、緑サブピクセル及び青サブピクセルが画素を成すことを特徴とする請求項6に記載の有機発光表示装置。
【請求項１５】
前記サブピクセルそれぞれは、
前記走査線に走査信号が供給される時ターンオンされて前記データ線からデータ信号の供給を受ける第1トランジスタと、
前記データ信号に対応される電圧を充電するためのストレージキャパシタと、
前記ストレージキャパシタに対応される電流を前記赤有機発光ダイオード、緑有機発光ダイオード及び青有機発光ダイオードの中でいずれか一つに供給するための第2トランジスタと、
前記発光制御信号に対応して前記赤有機発光ダイオード、緑有機発光ダイオード及び青有機発光ダイオードの中でいずれか一つに供給される電流の供給時間を制御するための第3トランジスタを具備することを特徴とする請求項7に記載の有機発光表示装置。
【請求項１６】
第1水平ラインに位置されて第1色の光を生成する第1サブピクセルの発光時間を制御する段階と、
第2水平ラインに位置されて第2色の光を生成する第2サブピクセルの発光時間を制御する段階と、
第3水平ラインに位置されて第3色の光を生成する第3サブピクセルの発光時間を制御する段階と、を含み、
前記第1サブピクセル、第2サブピクセル及び第3サブピクセルの発光時間は、発光効率及び寿命特性の中で少なくとも一つに対応して設定されることを特徴とする有機発光表示装置の駆動方法。
【請求項１７】
前記第1サブピクセルは赤光を生成し、
前記第2サブピクセルは緑光を生成し、
前記第3サブピクセルは青光を生成することを特徴とする請求項16に記載の有機発光表示装置の駆動方法。
【請求項１８】
前記第1サブピクセル、第2サブピクセル及び第3サブピクセルは、
前記発光効率が高いほど前記発光時間が短く設定されることを特徴とする請求項16に記載の有機発光表示装置の駆動方法。
【請求項１９】
前記第1サブピクセル、第2サブピクセル及び第3サブピクセルは、
前記寿命特性が高いほど前記発光時間が長く設定されることを特徴とする請求項16に記載の有機発光表示装置の駆動方法。
【請求項２０】
前記第1サブピクセル、第2サブピクセル及び第3サブピクセルそれぞれは、
お互いに異なる発光制御線に接続され、
前記発光制御線に供給される発光制御信号によって前記発光時間が制御されることを特徴とする請求項16に記載の有機発光表示装置の駆動方法。
【発明の詳細な説明】
【技術分野】
【０００１】
本発明は、有機発光表示装置及びその駆動方法に関し、特に、赤、緑及び青サブピクセルの発光時間を自由に制御できるようにした有機発光表示装置及びその駆動方法に関する。
【背景技術】
【０００２】
最近、陰極線管(CathodeRayTube)の短所である重さと体積を減らすことができる各種平板表示装置が開発されている。平板表示装置では液晶表示装置(Liquid  Crystal  Display)、電界放出表示装置(Field  Emission  Display)、プラズマ表示パネル(Plasma  Display  Panel)及び有機発光表示装置(Organic  Light  Emitting  Display)などがある。
【０００３】
平板表示装置の中で有機発光表示装置は、電子と正孔の再結合によって光を発生する有機発光ダイオードを利用して映像を表示する。このような、有機発光表示装置は、早い応答速度を持つと同時に低い消費電力によって駆動されるという長所がある。
【０００４】
図1は、従来の有機発光表示装置を現わす図面である。
図1を参照すれば、従来の有機発光表示装置は、走査線S1ないしSn、発光制御線E1ないしEn及びデータ線D1ないしDmと接続される複数のサブピクセルR、G、Bを含む画素部30と、走査線S1ないしSn及び発光制御線E1ないしEnを駆動するための走査駆動部10と、データ線D1ないしDmを駆動するためのデータ駆動部20と、走査駆動部10及びデータ駆動部20を制御するためのタイミング制御部50を具備する。
【０００５】
画素部30は、走査線S1ないしSn、発光制御線E1ないしEn及びデータ線D1ないしDmによって区画された領域に形成されるサブピクセルR、G、Bを具備する。そして、一つの赤サブピクセルR、緑サブピクセルG及び青サブピクセルBが一つの画素40を成すようになる。ここで、サブピクセルR、G、Bはそれぞれの水平ラインごとに反復的に配置される。つまり、一番目水平ラインには、第1走査線S1と接続されるように赤サブピクセルR、緑サブピクセルG及び青サブピクセルBが反復的に配置される。
【０００６】
赤サブピクセルRは、データ信号に対応して赤光を生成する。このために、赤サブピクセルRには赤色有機発光ダイオード(図示せず)が含まれる。緑サブピクセルGは、データ信号に対応して緑光を生成する。このために、緑サブピクセルGには緑色有機発光ダイオード(図示せず)が含まれる。青サブピクセルBは、データ信号に対応して青光を生成する。このために、青サブピクセルBには青色有機発光ダイオード(図示せず)が含まれる。
【０００７】
サブピクセルR、G、Bそれぞれは、外部から第1電源ELVDD及び第2電源ELVSSの供給を受ける。第1電源ELVDD及び第2電源ELVSSの供給を受けたサブピクセルR、G、Bは、データ信号に対応する電流を第1電源ELVDDから有機発光ダイオードを経由して第2電源ELVSSに供給する。
【０００８】
タイミング制御部50は、外部から供給される同期信号に対応してデータ駆動制御信号DCS及び走査駆動制御信号SCSを生成する。タイミング制御部50で生成されたデータ駆動制御信号DCSは、データ駆動部20に供給され、走査駆動制御信号SCSは走査駆動部10に供給される。そして、タイミング制御部50は外部から供給されるデータをデータ駆動部20に供給する。
【０００９】
走査駆動部10は、走査駆動制御信号SCSの供給を受ける。走査駆動制御信号SCSの供給を受けた走査駆動部10は、水平期間ごとに走査線S1ないしSnに走査信号を順次供給する。そして、走査駆動制御信号SCSの供給を受ける走査駆動部10は、発光制御線E1ないしEnに発光制御信号を順次供給する。ここで、発光制御信号の幅は走査信号の幅と同じかまたは広く設定される。
【００１０】
データ駆動部20は、タイミング制御部50からデータ駆動制御信号DCSの供給を受ける。データ駆動制御信号DCSの供給を受けたデータ駆動部20は、水平期間ごとにデータ線D1ないしDmにデータ信号を供給する。
【００１１】
このような従来の有機発光表示装置において、赤サブピクセルRに含まれる赤有機発光ダイオード、緑サブピクセルGに含まれる緑有機発光ダイオード及び青サブピクセルBに含まれる青有機発光ダイオードのそれぞれの発光効率及び寿命は、異なるように設定される。
【００１２】
つまり、使われる材料に応じて赤有機発光ダイオード、緑有機発光ダイオード及び青有機発光ダイオードの発光効率及び/または寿命特性が異なるように設定され、これによって赤サブピクセルR、緑サブピクセルG及び青サブピクセルBの発光時間を適切に制御しなければならない。しかし、従来には、一つの走査線Sに赤サブピクセルR、緑サブピクセルG及び青サブピクセルBが接続されるので、発光制御信号を利用して赤サブピクセルR、緑サブピクセルG及び青サブピクセルBそれぞれの発光時間を制御することができないという問題点がある。
【００１３】
一方、前記従来の有機発光表示装置及びその駆動方法に関する技術を記載した文献としては、下記特許文献１等がある。
【特許文献１】特開1996−321256号
【発明の開示】
【発明が解決しようとする課題】
【００１４】
したがって、本発明の目的は赤、緑及び青サブピクセルの発光時間を自由に制御するようにした有機発光表示装置及びその駆動方法を提供することである。
【課題を解決するための手段】
【００１５】
前記目的を果たすために、本発明の第1側面は、それぞれの水平ラインごとに形成される走査線及び発光制御線と、それぞれの垂直ラインごとに形成されるデータ線と、前記走査線、発光制御線及びデータ線と接続されるように配置されるサブピクセルを具備し、前記同じ水平ラインに位置される前記サブピクセルは、同一色の光を生成することを特徴とする。
【００１６】
好ましくは、前記サブピクセルは、赤有機発光ダイオードを含む赤サブピクセル、緑有機発光ダイオードを含む緑サブピクセル及び青有機発光ダイオードを含む青サブピクセルで分けられることを特徴とする。
【００１７】
また、前記それぞれの垂直ラインには、前記赤サブピクセル、緑サブピクセル及び青サブピクセルが反復的に配置されることを特徴とする。
【００１８】
また、前記一つの赤サブピクセル、緑サブピクセル及び青サブピクセルが画素を成すことを特徴とする。
【００１９】
また、前記目的を果たすために、本発明の第2側面は、走査線、発光制御線及びデータ線と接続されるように配置されるサブピクセルと、前記走査線及び発光制御線を駆動するための走査駆動部と、前記データ線を駆動するためのデータ駆動部を具備し、前記一つの発光制御線に接続される前記サブピクセルは、同じ色の光を生成することを特徴とする。
好ましくは、前記サブピクセルは、赤有機発光ダイオードを含む赤サブピクセル、緑有機発光ダイオードを含む緑サブピクセル及び青有機発光ダイオードを含む青サブピクセルで分けられることを特徴とする。
【００２０】
また、前記サブピクセルは、前記発光制御線に供給される発光制御信号によって発光時間が制御されることを特徴とする。
【００２１】
また、前記走査駆動部は、前記赤有機発光ダイオード、緑有機発光ダイオード及び青有機発光ダイオードの発光効率に対応して前記発光制御信号の幅を制御することを特徴とする。
また、前記走査駆動部は、発光効率が高い有機発光ダイオードを含むサブピクセルの発光時間が発光効率が低い有機発光ダイオードを含むサブピクセルの発光時間より短く設定されるように前記発光制御信号の幅を制御することを特徴とする。
【００２２】
また、前記走査駆動部は、前記緑サブピクセルの発光時間が前記赤サブピクセル及び青サブピクセルの発光時間より短く設定されるように前記発光制御信号の幅を制御することを特徴とする。
【００２３】
また、前記走査駆動部は、前記赤有機発光ダイオード、緑有機発光ダイオード及び青有機発光ダイオードの寿命特性に対応して前記発光制御信号の幅を制御することを特徴とする。
【００２４】
また、前記目的を果たすために、本発明の第3側面は、第1水平ラインに位置されて第1色の光を生成する第1サブピクセルの発光時間を制御する段階と、第2水平ラインに位置されて第2色の光を生成する第2サブピクセルの発光時間を制御する段階と、第3水平ラインに位置されて第3色の光を生成する第3サブピクセルの発光時間を制御する段階と、を含み、前記第1サブピクセル、第2サブピクセル及び第3サブピクセルの発光時間は、発光効率及び寿命特性の中で少なくとも一つに対応して設定されることを特徴とする。
【００２５】
好ましくは、前記第1サブピクセルは赤光を生成し、前記第2サブピクセルは緑光を生成し、前記第3サブピクセルは青光を生成することを特徴とする。
【００２６】
また、前記第1サブピクセル、第2サブピクセル及び第3サブピクセルは、前記発光効率が高いほど前記発光時間が短く設定されることを特徴とする。
【００２７】
また、前記第1サブピクセル、第2サブピクセル及び第3サブピクセルは、前記寿命特性が高いほど前記発光時間が長く設定されることを特徴とする。
【発明の効果】
【００２８】
以上、説明したように本発明よれば、それぞれの発光制御線ごとに同一色を生成するサブピクセルを接続させることによって、すなわち、水平ラインごとに同一色を発生するサブピクセルを配置することで、サブピクセルの発光時間を自由に制御することができる。
実際に、本発明では有機発光ダイオードの発光効率または寿命特性を考慮してサブピクセルの発光時間を制御することができる。
【発明を実施するための最良の形態】
【００２９】
以下、本発明の属する技術分野において通常の知識を有する者が本発明を容易に実施することができる好ましい実施形態を添付された図2ないし図8を参照して詳しく説明する。
【００３０】
図2は、本発明の実施形態による有機発光表示装置を現わす図面である。
図2を参照すれば、本発明の実施形態による有機発光表示装置は、走査線S1ないしSn、発光制御線E1ないしEn及びデータ線D1ないしDmと接続される複数のサブピクセルR、G、Bを含む画素部130と、走査線S1ないしSn及び発光制御線E1ないしEnを駆動するための走査駆動部110と、データ線D1ないしDmを駆動するためのデータ駆動部120と、走査駆動部110及びデータ駆動部120を制御するためのタイミング制御部150を具備する。
【００３１】
画素部130は、走査線S1ないしSn、発光制御線E1ないしEn及びデータ線D1ないしDmによって区画された領域に形成されるサブピクセルR、G、Bを具備する。サブピクセルR、G、Bは赤サブピクセルR、緑サブピクセルG及び青サブピクセルBからなり、一つの赤サブピクセルR、緑サブピクセルG及び青サブピクセルBが画素140を成す。ここで、一つの走査線S及び一つの発光制御線Eには、一つの色を発生するサブピクセルR、G、Bが接続されるように配置される。
【００３２】
例えば、第1走査線S1及び第1発光制御線E1は、赤サブピクセルRと接続され、第2走査線S2及び第2発光制御線E2は緑サブピクセルGと接続される。そして、第3走査線S3及び第3発光制御線E3は青サブピクセルBと接続される。すなわち、本発明において、それぞれの水平ラインには一つの色を発光するサブピクセルR、G、Bが配置される。
【００３３】
赤サブピクセルRは、データ線D1ないしDmから供給されるデータ信号に対応して赤光を生成する。このために、赤サブピクセルRらそれぞれには、赤有機発光ダイオードが含まれる。そして、赤サブピクセルRは、自身に接続された発光制御線Eから供給される発光制御信号によって発光時間が制御される。
【００３４】
緑サブピクセルGは、データ線D1ないしDmから供給されるデータ信号に対応して緑光を生成する。このために、緑サブピクセルGらそれぞれには緑有機発光ダイオードが含まれる。そして、緑サブピクセルGは、自分に接続された発光制御線Eから供給される発光制御信号によって発光時間が制御される。
【００３５】
青サブピクセルBは、データ線D1ないしDmから供給されるデータ信号に対応して青光を生成する。このために、青サブピクセルBらそれぞれには、青有機発光ダイオードが含まれる。そして、青サブピクセルBは、自分に接続された発光制御線Eから供給される発光制御信号によって発光時間が制御される。
【００３６】
タイミング制御部150は、外部から供給される同期信号に対応してデータ駆動制御信号DCS及び走査駆動制御信号SCSを生成する。タイミング制御部150で生成されたデータ駆動制御信号DCSは、データ駆動部120に供給され、走査駆動制御信号SCSは走査駆動部110に供給される。そして、タイミング制御部150は外部から供給されるデータをデータ駆動部120に供給する。
【００３７】
走査駆動部110は、走査駆動制御信号SCSの供給を受ける。走査駆動制御信号SCSの供給を受けた走査駆動部110は、水平期間ごとに走査線S1ないしSnに走査信号を順次に供給する。そして、走査駆動制御信号SCSの供給を受けた走査駆動部10は、発光制御線E1ないしEnに発光制御信号を順次に供給する。ここで、発光制御信号の幅は有機発光ダイオードの発光効率及び/または水平特性によって決定されうる。
【００３８】
データ駆動部120は、タイミング制御部150からデータ駆動制御信号DCSの供給を受ける。データ駆動制御信号DCSの供給を受けたデータ駆動部120は、水平期間ごとにデータ線D1ないしDmにデータ信号を供給する。ここで、それぞれの垂直ラインごとに赤サブピクセルR、緑サブピクセルG及び青サブピクセルBらが反復的に配置されるので、データ駆動部120は図3に図示されたようにそれぞれのデータ線D1ないしDmに赤データ信号DSR、緑データ信号DSG及び青データ信号DSBを反復的に供給する。
【００３９】
図4は、本発明の実施形態によるサブピクセルを現わす図面である。
図4を参照すれば、本発明のサブピクセルR、G、Bそれぞれは有機発光ダイオードOLEDと、有機発光ダイオードOLEDに供給される電流量を制御するためのトランジスタM1ないしM3及びデータ信号に対応される電圧を保存するためのストレージキャパシタCを具備する。
【００４０】
有機発光ダイオードOLEDは、自分に供給される電流量に対応して所定輝度の光を生成する。ここで、赤サブピクセルRに含まれる赤有機発光ダイオードOLEDRは、電流量に対応する赤光を生成し、緑サブピクセルRに含まれる緑有機発光ダイオードOLEDGは、電流量に対応する緑光を生成する。そして、青サブピクセルBに含まれる青有機発光ダイオードOLEDBは、電流量に対応する青光を生成する。
【００４１】
サブピクセルR、G、Bそれぞれに含まれる第1トランジスタM1のゲート電極は、走査線Sに接続され、第1電極(ソース電極)はデータ線Dに接続される。そして、第1トランジスタM1の第2電極(ドレイン電極)はストレージキャパシタCの一側及び第2トランジスタM2のゲート電極に接続される。このような第1トランジスタM1は、走査線Snから走査信号が供給される時ターンオンされてデータ線Dから供給されるデータ信号をストレージキャパシタCに供給する。この時、ストレージキャパシタCには、データ信号に対応される電圧が充電される。実際に、データ信号が供給される時ストレージキャパシタCにはデータ信号と第1電源ELVDDの電圧の差に対応される電圧が充電される。
【００４２】
第2トランジスタM2のゲート電極は、ストレージキャパシタCの一側に接続され、第1電極は第1電源ELVDDに接続される。そして、第2トランジスタM2の第2電極は、第3トランジスタM3の第1電極に接続される。このような第2トランジスタM2は、ストレージキャパシタCに保存された電圧に対応して第1電源ELVDDから発光素子OLEDで流れる電流量を制御する。
【００４３】
第3トランジスタM3のゲート電極は、発光制御線Eに接続され、第1電極は第2トランジスタM2の第2電極に接続される。そして、第3トランジスタM3の第2電極は、有機発光ダイオードOLEDに接続される。このような第3トランジスタM3は、発光制御信号が供給されない時ターンオンされて第2トランジスタM2から供給される電流を有機発光ダイオードOLEDに供給する。すなわち、第3トランジスタM3は、第2トランジスタM2から有機発光ダイオードOLEDに供給される電流の供給時間を制御する。
【００４４】
図5は、図4に図示されたサブピクセルに供給される駆動波形の実施形態を現わす波形図である。
図5を参照すれば、走査線S1ないしSnに供給される走査信号及び発光制御線E1ないしEnに供給される発光制御信号は順次供給される。
【００４５】
第1走査線S1に走査信号が供給されれば、第1走査線S1と接続されたサブピクセルRに含まれた第1トランジスタM1がターンオンされる。この時、データ線D1ないしDmに供給されるデータ信号が第1走査線S1と接続されたサブピクセルRに供給される。すると、ストレージキャパシタCにデータ信号に対応される電圧が充電される。
【００４６】
一方、第1走査線S1に走査信号が供給される時、第1発光制御線E1に発光制御信号が供給される。第1発光制御線E1に発光制御信号が供給されれば、第1発光制御線E1と接続されたサブピクセルRに含まれた第3トランジスタM3がターンオフされる。よって、第1走査線S1に供給される走査信号によってストレージキャパシタCにデータ信号に対応される電圧が充電される期間の間、有機発光ダイオードOLEDRに電流が供給されない。
【００４７】
以後、第1走査線S1に供給される走査信号及び第1発光制御線E1に供給される発光制御信号の供給が中断され、第3トランジスタM3がターンオンされる。すると、第2トランジスタM2はストレージキャパシタCに充電された電圧に対応される電流を有機発光ダイオードOLEDRに供給し、これによって有機発光ダイオードOLEDRから所定の赤光が生成される。
【００４８】
以後、第2走査線S2に供給される走査信号及び第2発光制御線E2に供給される発光制御信号によって第2走査線S2と接続されたサブピクセルGそれぞれに含まれたストレージキャパシタCにデータ信号に対応される電圧が充電され、この充電された電圧に対応して有機発光ダイオードOLEDGから所定の緑光が生成される。
【００４９】
以後、第3走査線S3に供給される走査信号及び第3発光制御線E3に供給される発光制御信号によって第2走査線S3と接続されたサブピクセルBらそれぞれに含まれたストレージキャパシタCにデータ信号に対応される電圧が充電され、この充電された電圧に対応して有機発光ダイオードOLEDBから所定の青光が生成される。実際に、本発明のサブピクセルR、G、Bは、このような過程を繰り返しながら画素部130に所定の画像を表示する。
【００５０】
一方、本発明において、一つの発光制御線Eと接続されたサブピクセルは同一色を発光するので、発光制御信号を利用して赤光、緑光及び青光の発光時間を制御することができる。つまり、本発明では発光制御信号を利用して赤サブピクセルR、緑サブピクセルG及び青サブピクセルBの発光時間を自由に調整することができる。
【００５１】
例えば、本発明では赤有機発光ダイオードOLEDR、緑有機発光ダイオードOLEDG及び青有機発光ダイオードOLEDBの発光効率を考慮して赤サブピクセルR、緑サブピクセルG及び青サブピクセルBの発光時間を調整することができる。つまり、発光効率が高い有機発光ダイオードOLEDが含まれたサブピクセルの発光時間より発光効率が低い有機発光ダイオードOLEDが含まれたサブピクセルの発光時間を長く設定してホワイトバランスが合う映像を表示することができる。
【００５２】
現在、一般的に赤有機発光ダイオードOLEDR、緑有機発光ダイオードOLEDG及び青有機発光ダイオードOLEDBに使われる物質の材料特性にしたがって、発光効率は緑サブピクセルGが一番高く設定され、赤サブピクセルR及び青サブピクセルBはほぼ同じく設定される。
【００５３】
したがって、赤有機発光ダイオードOLEDR、緑有機発光ダイオードOLEDG及び青有機発光ダイオードOLEDBの発光効率を考慮して図6のように発光制御信号の幅を設定することができる。
【００５４】
図6を参照すれば、赤サブピクセルR及び青サブピクセルBと接続された発光制御線E1、E3．．．に供給される発光制御信号の幅は、緑サブピクセルGと接続された発光制御線E2．．．に供給される発光制御信号の幅より長く設定される。すると、赤サブピクセルR及び青サブピクセルBの発光時間T1、T3が緑サブピクセルGの発光時間T2より長く設定され、これによってホワイトバランスが合う映像を表示することができる。
【００５５】
そして、本発明では赤有機発光ダイオードOLEDR、緑有機発光ダイオードOLEDG及び青有機発光ダイオードOLEDBの寿命特性を考慮して赤サブピクセルR、緑サブピクセルG及び青サブピクセルBの発光時間を調整することができる。つまり、高い寿命を持つサブピクセルの発光時間より低い寿命を持つサブピクセルの発光時間を短く設定してサブピクセルR、G、Bの寿命特性にある程度ほぼ同じく合わせることができる。
【００５６】
例えば、青有機発光ダイオードOLEDBの寿命が一番短く設定され、赤有機発光ダイオードOLEDR及び緑有機発光ダイオードOLEDGの寿命がほぼ同じく設定されたとすると、図7のように発光制御信号の幅を設定することができる。
【００５７】
図7を参照すれば、赤サブピクセルR及び緑サブピクセルGと接続された発光制御線E1、E2に供給される発光制御信号の幅は、青サブピクセルBと接続された発光制御線E3．．．に供給される発光制御信号の幅より長く設定される。すると、赤サブピクセルR及び緑サブピクセルGの発光時間T4、T5が青サブピクセルBの発光時間T6より長く設定され、これによってサブピクセルR、G、Bの寿命特性をほぼ同じく維持することができる。つまり、低い寿命特性を持つ青サブピクセルBを残りのサブピクセルR、Gより少ない時間発光させることでサブピクセルR、G、Bの寿命特性を合わせることができる。
すなわち、本発明では必要に応じて発光制御信号の幅を制御することにより、赤サブピクセルR、緑サブピクセルG及び青サブピクセルBの発光時間を自由に調節することができる。
【００５８】
一方、本発明において、サブピクセルの構造は多様に設定することができる。実際に、本発明では発光制御信号によって制御されるトランジスタを持つ多様なサブピクセルが適用可能である。
【００５９】
図8は、本発明の他の実施形態によるサブピクセルを現わす図面である。
図8を参照すれば、本発明の他の実施形態によるサブピクセルR、G、Bそれぞれは、有機発光ダイオードOLEDと、有機発光ダイオードOLEDに供給される電流量を制御するためのトランジスタM1ないしM6及びデータ信号に対応される電圧を保存するためのストレージキャパシタCを具備する。
【００６０】
有機発光ダイオードOLEDは、自分に供給される電流量に対応して所定輝度の光を生成する。ここで、赤サブピクセルRに含まれる赤有機発光ダイオードOLEDRは、電流量に対応する赤光を生成し、緑サブピクセルRに含まれる緑有機発光ダイオードOLEDGは電流量に対応する緑光を生成する。そして、青サブピクセルBに含まれる青有機発光ダイオードOLEDBは、電流量に対応する青光を生成する。
【００６１】
第2トランジスタM2の第1電極は、データ線Dmに接続され、第2電極は第1ノードN1に接続される。そして、第2トランジスタM2のゲート電極は、第n走査線Snに接続される。このような第2トランジスタM2は、第n走査線Snに走査信号が供給される時ターンオンされてデータ線Dmに供給されるデータ信号を第1ノードN1に供給する。
【００６２】
第1トランジスタM1の第1電極は、第1ノードN1に接続され、第2電極は第6トランジスタM6の第1電極に接続される。そして、第1トランジスタM1のゲート電極は、ストレージキャパシタCに接続される。このような第1トランジスタM1は、ストレージキャパシタCに充電された電圧に対応される電流を有機発光ダイオードOLEDに供給する。
【００６３】
第3トランジスタM3の第1電極は、第1トランジスタM1の第2電極に接続され、第2電極は第1トランジスタM1のゲート電極に接続される。そして、第3トランジスタM3のゲート電極は、第n走査線Snに接続される。このような第3トランジスタM3は、第n走査線Snに走査信号が供給される時ターンオンされて第1トランジスタM1をダイオード形態で接続させる。
【００６４】
第4トランジスタM4の第1電極及びゲート電極は、第n-1走査線Sn-1と接続され、第2電極はストレージキャパシタC及び第1トランジスタM1のゲート電極と接続される。このような第4トランジスタM4は、第n-1走査線Sn-1に走査信号が供給される時ターンオンされて第1トランジスタM1のゲート電極及びストレージキャパシタCを初期化する。
【００６５】
第5トランジスタM5の第1電極は、第1電源ELVDDに接続され、第2電極は第1ノードN1に接続される。そして、第5トランジスタM5のゲート電極は発光制御線Enに接続される。このような第5トランジスタM5は、発光制御線Enから発光制御信号EMIが供給されない時ターンオンされて第1電源ELVDDと第1ノードN1を電気的に接続させる。
【００６６】
第6トランジスタM6の第1電極は、第1トランジスタM1の第2電極に接続され、第2電極は発光素子OLEDのアノード電極に接続される。そして、第6トランジスタM6のゲート電極は、発光制御線Enに接続される。このような第6トランジスタM6は、発光制御信号EMIが供給されない時ターンオンされて第1トランジスタM1から供給される電流を有機発光ダイオードOLEDを供給する。
【００６７】
動作過程を簡単に説明すれば、まず、第n-1走査線Sn-1に走査信号が供給されて第4トランジスタM4がターンオンされる。第4トランジスタM4がターンオンされれば、ストレージキャパシタC及び第1トランジスタM1のゲート電極が第n-1走査線Sn-1と接続される。すると、ストレージキャパシタC及び第1トランジスタM1のゲート電極が走査信号の電圧値に初期化される。ここで、走査信号はデータ信号より低い電圧値に設定される。
【００６８】
以後、第n走査線Snに走査信号が供給される。第n走査線Snに走査信号が供給されれば、第2トランジスタM2及び第3トランジスタM3がターンオンされる。第3トランジスタM3がターンオンされれば、第1トランジスタM1がダイオード形態で接続される。第2トランジスタM2がターンオンされれば、データ線Dmに供給されるデータ信号が第2トランジスタM2を経由して第1ノードN1に供給される。
【００６９】
この時、第1トランジスタM1のゲート端子電圧が走査信号によって初期化されたので(すなわち、第1ノードN1に供給されるデータ信号の電圧より低く設定されたので、)、第1トランジスタM1がターンオンされる。
【００７０】
第1トランジスタM1がターンオンされれば、第1ノードN1に印加されたデータ信号が第1トランジスタM1及び第3トランジスタM3を経由してストレージキャパシタCの一側に供給される。ここで、データ信号はダイオード形態で接続された第1トランジスタM1を経由してストレージキャパシタCに供給されるため、ストレージキャパシタCにはデータ信号及び第1トランジスタM1の閾値電圧に対応される電圧が充電される。
【００７１】
ストレージキャパシタCにデータ信号及び第1トランジスタM1の閾値電圧に対応される電圧が充電された後、特定期間に発光制御信号EMIの供給が中断され、第5トランジスタM5及び第6トランジスタM6がターンオンされる。ここで、発光制御信号EMIの供給時点は、それぞれのサブピクセルR、G、Bに含まれる有機発光ダイオードOLEDの水平特性及び/または効率特性を考慮して設定される。
【００７２】
第5トランジスタM5及び第6トランジスタM6がターンオンされれば、第1電源ELVDDから有機発光ダイオードOLEDへの電流経路が形成される。この時、第1トランジスタM1は、ストレージキャパシタCに充電された電圧に対応されて第1電源ELVDDから有機発光ダイオードOLEDに流れる電流を制御する。
【００７３】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００７４】
【図１】従来の有機発光表示装置を現わす図面である。
【図２】本発明の実施形態による有機発光表示装置を現わす図面である。
【図３】図2に図示されたデータ駆動部に供給されるデータ信号を現わす図面である。
【図４】図2に図示されたサブピクセルを現わす回路図である。
【図５】本発明の第1実施形態による駆動波形を現わす図面である。
【図６】本発明の第2実施形態による駆動波形を現わす図面である。
【図７】本発明の第3実施形態による駆動波形を現わす図面である。
【図８】図2に図示されたサブピクセルの他の実施形態を現わす回路図である。
【符号の説明】
【００７５】
10  走査駆動部
20，120  データ駆動部
30  画素部
40  画素
50，150  タイミング制御部
【図１】
2007156383.tif 000003
【図２】
2007156383.tif 000004
【図３】
2007156383.tif 000005
【図４】
2007156383.tif 000006
【図５】
2007156383.tif 000007
【図６】
2007156383.tif 000008
【図７】
2007156383.tif 000009
【図８】
2007156383.tif 000010